(57)【特許請求の範囲】
【請求項１】
ガラス窓の外部からの侵入を防止する面格子と、
外壁の窓取付け開口部を覆うように形成された外枠を有する枠体を形成し、その枠体内に前記面格子が一体的に装着された化粧枠とからなり、
前記化粧枠をガラス窓が装着される窓枠に対向して取付け、
前記窓取付け開口部は、前記化粧枠の外枠と外壁又は外壁仕上げ材との間隙に埋設されたコーキング部材により防水処理されていることを特徴とする化粧枠付格子窓。
【請求項２】
前記化粧枠は、適宜な強度及び剛性を有する薄肉軽量構造で形成され、前記外枠は、窓取付け開口部を覆うように略逆コ字形に形成されるとともに、前記枠体内に形成され、前記面格子を装着する面格子装着部と、前記窓枠側に設けられ、窓枠に対向して取付けられる化粧枠側取付け面とを有することを特徴とする請求項１に記載の化粧枠付格子窓。
【請求項３】
前記面格子装着部は、前記外枠の外端部内面に形成され、面格子の外周面が嵌入する第１嵌合面と、第１嵌合面の外端面部に形成され、前記面格子の外周部に形成された第１係合部と係合する外枠側係合部と、第１嵌合面に隣接する前記枠体の中間内面に形成され、前記面格子の窓枠側側面に突設された格子取付け枠の凸片が嵌入する第２嵌合面とからなり、前記面格子が化粧枠の外端側面方向から嵌入して、前記凸片が第２嵌合面に固定部材により固設されることを特徴とする請求項１又は請求項２記載の化粧枠付格子窓。
【請求項４】
前記格子取付け枠は、前記凸片と交叉する格子取付け枠体とからなる略Ｔ形断面に形成され、前記格子取付け枠体が、前記面格子の格子枠の窓枠側側面に形成された第２係合部に係合することを特徴とする請求項３記載の化粧枠付格子窓。
【発明の詳細な説明】
【０００１】
【発明の属する技術分野】
本発明は、外部からの侵入を防止する面格子が取付けられた格子窓（又は戸）に関し、特に、外壁の窓取付け開口部を覆うように形成された外枠を有する枠体である化粧枠を介して、面格子をガラス窓（又は戸）の窓枠に対向して取付けられる化粧枠付格子窓に関する。
【０００２】
【従来の技術】
従来の鉄筋コンクリート製マンションやホテルなどの居室においては、例えば、図３に示すように、外壁５０の窓取付け開口部５１内に取付けられたガラス窓（又は戸）１３０の窓枠１０２の外端部に突設された窓外枠１０３に対向して、外部からの侵入を防止する面格子１００が取付けられる構造であった。
すなわち、面格子１００の格子枠１０１が、ネジなどの固定部材１２０により、窓外枠１０３に固設されている。
【０００３】
【発明が解決しようとする課題】
このような従来の技術は、窓取付け開口部５１の外端角部にタイル又はその他の建築材料からなる略Ｌ形の外壁仕上げ材である役物７１を外装し、窓枠１０２と窓取付け開口部５１及び役物７１との間隙にコーキング部材８０を埋設して雨水漏れを防止する曲り仕舞いの施工が必要であった。このため、それらに要する高価な役物などの機材や手間隙が嵩み、施工時間がかかる上、建設費が割高となっていた。
また、従来の前記面格子取付け構造では、面格子１００を窓外枠１０３の外側に対向して重ね合せて取付けるため、面格子１００が外壁仕上げ材７０の外面よりもかなり外側に突出し、さらに、窓取付け開口部５１の下面に設けられる図示しない水切りより数十ｍｍ（例えば６７ｍｍ程度）外部に突出している。このため、外部での歩行又は作業時に人体を面格子に引っ掛けて負傷するなどの危険性があるばかりでなく、外回りのスペース及び美観の面からも不利である等々の欠点があった。
【０００４】
これらの問題点を解決すべく、本発明の目的は、マンションやホテルなどの居室等外回りの安全性、省スペース及び美観等の向上に寄与し、建設コスト的にも有利な、化枠枠と面格子とを一体化して窓枠に取付けることができる化粧枠付格子窓を提供することにある。
【０００５】
【課題を解決するための手段】
本発明は、ガラス窓の外部からの侵入を防止する面格子と、外壁の窓取付け開口部を覆うように形成された外枠を有する枠体を形成し、その枠体内に前記面格子が一体的に装着された化粧枠とからなり、前記化粧枠をガラス窓が装着される窓枠に対向して取付け、前記窓取付け開口部は、前記化粧枠の外枠と外壁又は外壁仕上げ材との間隙に埋設されたコーキング部材により防水処理されていることを特徴とする。
【０００６】
また、前記化粧枠は、適宜な強度及び剛性を有する薄肉軽量構造で形成され、前記外枠は、窓取付け開口部を覆うように略逆コ字形に形成されるとともに、前記枠体内に形成され、前記面格子を装着する面格子装着部と、前記窓枠側に設けられ、窓枠に対向して取付けられる化粧枠側取付け面とを有することを特徴とする。
【０００７】
また、前記面格子装着部は、前記外枠の外端部内面に形成され、面格子の外周面が嵌入する第１嵌合面と、第１嵌合面の外端面部に形成され、前記面格子の外周部に形成された第１係合部と係合する外枠側係合部と、第１嵌合面に隣接する前記枠体の中間内面に形成され、前記面格子の窓枠側側面に突設された格子取付け枠の凸片が嵌入する第２嵌合面とからなり、前記面格子が化粧枠の外端側面方向から嵌入して、前記凸片が第２嵌合面に固定部材により固設されることを特徴とする。
【０００８】
また、前記格子取付け枠は、前記凸片と交叉する格子取付け枠体とからなる略Ｔ形断面に形成され、前記格子取付け枠体が、前記面格子の格子枠の窓枠側側面に形成された第２係合部に係合することを特徴とする。
【００１０】
【発明の実施の形態】
以下、本発明に係る好ましい一実施の形態について、添付図面を参照し詳細に説明する。
図１は、本発明に係る一実施の形態による化粧枠付格子窓の縦断面図で、図２は、その一部横断面図である。
本発明の一実施の形態による化粧枠付格子窓は、ガラス窓４０の外部からの侵入を防止する面格子１と、外壁５０の窓取付け開口部５１を覆うように形成された外枠１３を有する枠体を形成し、その枠体内に面格子１が一体的に装着された化粧枠１０とからなり、室内側の木製又は高分子材量などの建築部材からなる横枠５２及び縦枠５３に固定され、引き戸の内外側ガラス戸４１、４２などからなるガラス窓４０が装着される窓枠３０に対向して化粧枠１０が取付けられている。
【００１１】
化粧枠１は、例えば、数十ｋｇ程度の人力では容易に破壊又は変形されないような適宜な強度及び剛性を有するアルミ合金等の軽量合金又は高分子材料、その他の建築材料等からなる薄肉軽量構造で形成されおり、量産可能で低コスト的な一体又は分割型成形品とすることがより望ましい。
外枠１３は、窓取付け開口部５１を覆うように略逆コ字形に形成されるとともに、、前記枠体内に形成され、面格子１を装着する面格子装着部と、窓枠３０側に設けられ、窓枠３０の窓枠側取付け面３１に対向して、ネジなどの固定部材２１により防水用シール部材３２を介して取付けられる化粧枠側取付け面１４とを有している。
【００１２】
前記面格子装着部は、外枠１３の外端部内面に形成され、面格子１の格子枠２の外周面２ａが嵌入する第１嵌合面１１と、第１嵌合面１１の外端面部に形成され、格子枠２の外周面２ａの外端部に形成された鉤状の第１係合部２ｂと係合する鉤状の外枠側係合部１２と、第１嵌合面１１に隣接する前記枠体の中間内面に形成され、面格子１の窓枠３０側側面に突設された格子取付け枠３の凸片３ｂが嵌入する第２嵌合面１５とからなっている。
第２嵌合面１５は、第１嵌合面１１より若干小枠に形成されているので、面格子１は、外枠１３の外端側面方向からワンタッチで嵌入することができ、凸片３ｂが第２嵌合面１５にネジなどの固定部材２０により固設される。
【００１３】
また、格子取付け枠３は、凸片３ｂと交叉する格子取付け枠体３ａとからなる略Ｔ形断面に形成され、格子取付け枠体３ａが、面格子１０の格子枠２の窓枠３０側側面に形成された略蟻溝状の第２係合部２ｃに係合する。この場合、格子取付け枠体３ａ又は第２係合部２ｃは、適宜変形する材料からなり、格子取付け枠体３ａを第２係合部２ｃ内に打込むなどにより押込んで嵌入することができる。ただし、格子取付け枠体３ａ及び第２係合部２ｃは、例えば数十ｋｇ程度の人力によっては容易に引抜けないような適宜な剛性及び強度を有している。
【００１４】
また、窓取付け開口部５１は、化粧枠１０の外枠１３と外壁５０又は外壁仕上げ材７０との間隙に埋設されたコーキング部材８０により防水処理されている。
【００１５】
以上のように構成された本発明の化粧枠付格子窓は、面格子１を化粧枠１０内に装着することができるので、窓取付け開口部５１の下面に設けられた奥行き約６２ｍｍ程度の水切り６０より内側（窓枠３０側）に収納されるとともに、外壁仕上げ材７０からの外部突出量を最小に押えることができる。このため、外回りの省スペース及び美観の向上に寄与することができる。
【００１６】
【発明の効果】
以上、詳細に説明した本発明による化粧枠付格子窓は、外壁の窓取付け開口部を覆うように形成された外枠を有する枠体である化粧枠を介して、化粧枠内に一体的に装着された面格子をガラス窓（又は戸）の窓枠に対向して取付けられる構成としたので、下記の通り従来にない優れた効果を奏する。
【００１７】
（１）面格子の取付けが容易化するとともに、窓取付け開口部の高価な曲り仕舞いが不要となり、外壁と外枠との間隙をコーキング処理するだけの防水処理のみに簡略化されるなどにより、工期短縮及び低コスト化ができる。
（２）また、面格子が窓取付け開口部下面の水切りより内側に収納されるため、外回りの歩行又は作業時に人体を面格子に引っ掛けて負傷することもなく、安全性、省スペース及び美観の向上に寄与することができる。
【図面の簡単な説明】
【図１】本発明に係る一実施の形態による化粧枠付格子窓の縦断面図である。
【図２】本発明に係る一実施の形態による化粧枠付格子窓の一部横断面図である。
【図３】従来の格子窓の縦断面図である。
【符号の説明】
１、１００  面格子
２、１０１  格子枠
２ａ      外周面
２ｂ      第１係合部
２ｃ      第２係合部
３        格子取付け枠
３ａ      格子取付け枠体
３ｂ      凸片
１０      化粧枠
１１      第１嵌合面
１２      外枠側係合部
１３      外枠
１４      化粧枠側取付け面
１５      第２嵌合面
２０、２１、１２０  固定部材
３０、１０２  窓枠
３１      窓枠側取付け面
３２      シール部材
４０、１３０  ガラス窓
４１      外側ガラス戸
４２      内側ガラス戸
５０      外壁
５１      窓取付け開口部
５２      横枠
５３      縦枠
６０      水切り
７０      外壁仕上材
７１      役物
８０      コーキング部材
１０３    窓外枠
【図１】
0003873250.tif 000002
【図２】
0003873250.tif 000003
【図３】
0003873250.tif 000004